【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域内に、所定条件が成立すると遊技球が入賞しやすい開放状態となる電動入賞役物と、複数の図柄を表示可能な図柄表示手段と、開閉動作する可動部材を備えた可動手段とが設けられているとともに、遊技に係る動作を制御する制御手段が備えられており、
前記制御手段は、前記遊技領域内を流下する遊技球の前記電動入賞役物への入賞の検出にもとづいて、大当たり判定用乱数及び変動時間決定用乱数から夫々数値を取得するとともに、前記図柄表示手段において前記図柄の変動を開始し、その後前記図柄を順次一旦停止表示させ、前記変動を開始してから前記変動時間決定用乱数からの取得数値にもとづいた図柄変動時間が経過すると、前記大当たり判定用乱数からの取得数値にもとづいた確定表示態様で前記図柄を確定表示させるとともに、
所定の第１遊技条件の成立にもとづいて、前記図柄の確定表示態様を特別な確定表示態様とし、前記可動手段を断続的に開成させる特別遊技状態を生起させ、
所定の第２遊技条件の成立にもとづいて、前記特別遊技状態の終了後に、前記所定条件が成立しやすい及び／又は前記電動入賞役物の前記開放状態での時間が長くなる特定遊技状態を生起させる一方、
前記図柄の変動表示中に遊技球の前記電動入賞役物への入賞を検出すると、当該入賞に係る情報を保留情報として所定数まで記憶するとともに、前記図柄を確定表示させる度に前記保留情報を順次消化するパチンコ機であって、
前記制御手段は、遊技球の前記電動入賞役物への入賞を検出すると転落判定用乱数から数値を取得し、前記特定遊技状態中において取得した数値が所定の転落数値であると、当該入賞に係る前記図柄の変動の開始に伴い前記特定遊技状態を終了させる一方、
前記特定遊技状態中において特別な条件が満たされた特別な保留情報が発生したことを遊技者に報知する予告手段と、前記特別な保留情報に係る前記転落判定用乱数からの取得数値が前記転落数値であるか否かを遊技者に報知する当否報知手段とを設け、
前記制御手段は、前記特別な保留情報が発生すると、前記特別な保留情報について前記図柄を変動開始するよりも前に、前記予告手段を作動させるとともに、前記特別な保留情報について前記図柄の変動を開始してから最初に一旦停止表示させる図柄を一旦停止表示させるまでの間に、前記当否報知手段を作動させることを特徴とするパチンコ機。
【請求項２】
前記制御手段は、前記転落判定用乱数からの取得数値が前記転落数値であり、且つ、前記確定表示態様が前記特別な確定表示態様とならない条件と、前記転落判定用乱数からの取得数値が前記転落数値でなく、且つ、前記確定表示態様が前記特別な確定表示態様とならず、更に前記変動時間決定用乱数からの取得数値にもとづいた前記図柄変動時間が特定変動時間である条件との何れか一方が満たされたことをもって、前記特別な条件が満たされたと判断することを特徴とする請求項１に記載のパチンコ機。
【手続補正２】
【補正対象書類名】明細書
【補正対象項目名】０００７
【補正方法】変更
【補正の内容】
【０００７】
上記目的を達成するために、本発明のうち請求項１に記載の発明は、遊技球が流下可能な遊技領域内に、所定条件が成立すると遊技球が入賞しやすい開放状態となる電動入賞役物と、複数の図柄を表示可能な図柄表示手段と、開閉動作する可動部材を備えた可動手段とが設けられているとともに、遊技に係る動作を制御する制御手段が備えられており、前記制御手段は、前記遊技領域内を流下する遊技球の前記電動入賞役物への入賞の検出にもとづいて、大当たり判定用乱数及び変動時間決定用乱数から夫々数値を取得するとともに、前記図柄表示手段において前記図柄の変動を開始し、その後前記図柄を順次一旦停止表示させ、前記変動を開始してから前記変動時間決定用乱数からの取得数値にもとづいた図柄変動時間が経過すると、前記大当たり判定用乱数からの取得数値にもとづいた確定表示態様で前記図柄を確定表示させるとともに、所定の第１遊技条件の成立にもとづいて、前記図柄の確定表示態様を特別な確定表示態様とし、前記可動手段を断続的に開成させる特別遊技状態を生起させ、所定の第２遊技条件の成立にもとづいて、前記特別遊技状態の終了後に、前記所定条件が成立しやすい及び／又は前記電動入賞役物の前記開放状態での時間が長くなる特定遊技状態を生起させる一方、前記図柄の変動表示中に遊技球の前記電動入賞役物への入賞を検出すると、当該入賞に係る情報を保留情報として所定数まで記憶するとともに、前記図柄を確定表示させる度に前記保留情報を順次消化するパチンコ機であって、前記制御手段は、遊技球の前記電動入賞役物への入賞を検出すると転落判定用乱数から数値を取得し、前記特定遊技状態中において取得した数値が所定の転落数値であると、当該入賞に係る前記図柄の変動の開始に伴い前記特定遊技状態を終了させる一方、前記特定遊技状態中において特別な条件が満たされた特別な保留情報が発生したことを遊技者に報知する予告手段と、前記特別な保留情報に係る前記転落判定用乱数からの取得数値が前記転落数値であるか否かを遊技者に報知する当否報知手段とを設け、前記制御手段は、前記特別な保留情報が発生すると、前記特別な保留情報について前記図柄を変動開始するよりも前に、前記予告手段を作動させるとともに、前記特別な保留情報について前記図柄の変動を開始してから最初に一旦停止表示させる図柄を一旦停止表示させるまでの間に、前記当否報知手段を作動させることを特徴とする。
請求項２に記載の発明は、請求項１に記載の発明において、前記制御手段は、前記転落判定用乱数からの取得数値が前記転落数値であり、且つ、前記確定表示態様が前記特別な確定表示態様とならない条件と、前記転落判定用乱数からの取得数値が前記転落数値でなく、且つ、前記確定表示態様が前記特別な確定表示態様とならず、更に前記変動時間決定用乱数からの取得数値にもとづいた前記図柄変動時間が特定変動時間である条件との何れか一方が満たされたことをもって、前記特別な条件が満たされたと判断することを特徴とする。
【手続補正３】
【補正対象書類名】明細書
【補正対象項目名】０００８
【補正方法】変更
【補正の内容】
【０００８】
なお、遊技球が流下可能な遊技領域内に、所定条件が成立すると遊技球が入賞しやすい開放状態となる電動入賞役物と、複数の図柄を表示可能な図柄表示部と、遊技球が入賞可能な入賞口を開閉する扉部材を備えた大入賞装置とが設けられているとともに、遊技に係る動作を制御する制御装置と、遊技に係る情報を記憶する記憶手段とを備えており、前記遊技領域内を流下する遊技球の前記電動入賞役物への入賞を検出すると、大当たり判定用乱数及び変動時間決定用乱数から夫々数値を取得するとともに、前記図柄表示部において前記図柄の変動を開始し、その後前記図柄を順次一旦停止表示とし、前記変動を開始してから前記変動時間決定用乱数からの取得数値に対応する所定の図柄変動時間が経過すると、前記大当たり判定用乱数からの取得数値に対応する所定の確定表示態様で前記図柄を確定表示し、前記確定表示態様が特別な確定表示態様であると、前記大入賞装置の前記扉部材を断続的に開成する特別遊技状態を生起させ、前記特別遊技状態が終了すると、前記所定条件が成立しやすい及び／又は前記電動入賞役物の前記開放状態での時間が長くなる特定遊技状態を生起する一方、前記図柄の変動表示中に遊技球の前記電動入賞役物への入賞を検出すると、当該入賞に係る情報を保留情報として前記記憶手段に記憶するとともに、前記図柄が確定表示される度に前記保留情報を順次消化するパチンコ機において、前記制御装置は、遊技球の前記電動入賞役物への入賞を検出すると転落判定用乱数から数値を取得し、前記特定遊技状態中において取得した数値が所定の転落数値であると、当該入賞に係る前記図柄の変動の開始に伴い前記特定遊技状態を終了するとともに、前記特定遊技状態中において特別な条件が満たされた特別な保留情報が発生したことを遊技者に報知する予告手段と、前記特別な保留情報に係る前記転落判定用乱数からの取得数値が前記転落数値であるか否かを遊技者に報知する当否報知手段とを設け、前記制御装置は、前記特別な保留情報が発生すると、前記特別な保留情報よりも先に消化する前記保留情報についての前記図柄の変動を開始してから確定表示するまでの間に、前記予告手段を作動させるとともに、前記特別な保留情報について前記図柄の変動を開始してから最初の図柄を前記一旦停止表示とするまでの間に、前記当否報知手段を作動させるといった第１の構成を採用することも考えられる。
また、遊技球が流下可能な遊技領域内に、所定条件が成立すると遊技球が入賞しやすい開放状態となる電動入賞役物と、複数の図柄を表示可能な図柄表示部と、遊技球が通過可能な特別領域を開閉する可動部材を備えた特別可動手段とが設けられているとともに、遊技に係る動作を制御する制御装置と、遊技に係る情報を記憶する記憶手段とを備えており、前記遊技領域内を流下する遊技球の前記電動入賞役物への入賞を検出すると、大当たり判定用乱数及び変動時間決定用乱数から夫々数値を取得するとともに、前記図柄表示部において前記図柄の変動を開始し、その後前記図柄を順次一旦停止表示とし、前記変動を開始してから前記変動時間決定用乱数からの取得数値に対応する所定の図柄変動時間が経過すると、前記大当たり判定用乱数からの取得数値に対応する所定の確定表示態様で前記図柄を確定表示し、前記確定表示態様が特別な確定表示態様であると、前記特別可動手段の前記可動部材を開動作させる特別遊技状態を生起させ、前記特別遊技状態中に遊技球の前記特別領域の通過を検出すると、前記所定条件が成立しやすい及び／又は前記電動入賞役物の前記開放状態での時間が長くなる特定遊技状態を生起する一方、前記図柄の変動表示中に遊技球の前記電動入賞役物への入賞を検出すると、当該入賞に係る情報を保留情報として前記記憶手段に記憶するとともに、前記図柄が確定表示される度に前記保留情報を順次消化するパチンコ機において、前記制御装置は、遊技球の前記電動入賞役物への入賞を検出すると転落判定用乱数から数値を取得し、前記特定遊技状態中において取得した数値が所定の転落数値であると、当該入賞に係る前記図柄の変動の開始に伴い前記特定遊技状態を終了するとともに、前記特定遊技状態中において特別な条件が満たされた特別な保留情報が発生したことを遊技者に報知する予告手段と、前記特別な保留情報に係る前記転落判定用乱数からの取得数値が前記転落数値であるか否かを遊技者に報知する当否報知手段とを設け、前記制御装置は、前記特別な保留情報が発生すると、前記特別な保留情報よりも先に消化する前記保留情報についての前記図柄の変動を開始してから確定表示するまでの間に、前記予告手段を作動させるとともに、前記特別な保留情報について前記図柄の変動を開始してから最初の図柄を前記一旦停止表示とするまでの間に、前記当否報知手段を作動させるといった第２の構成を採用することも考えられる。
そして、そのような第１の構成や第２の構成を採用することで、従来のパチンコ機のように所謂「転落抽選」の結果を表示するよりも前の時点で、電動入賞役物の動作態様から「転落抽選」の当否が遊技者に察知されてしまい、本来「転落抽選」の当否に関して遊技者の興趣をあおる筈の当否報知演出が興趣を欠いたものになってしまうという問題が生じない。また、特別な保留情報に係る「転落抽選」の結果がどちらであるのか遊技者の興趣を十分にあおることができ、パチンコ機の遊技性を向上することができる。
さらに、上記発明や第１の構成、第２の構成を採用したものにおいて、前記制御装置は、前記特定遊技状態中において前記確定表示態様が特別な確定表示態様となる確定保留情報が発生すると、前記確定保留情報よりも先に消化する前記保留情報についての前記図柄の変動を開始してから確定表示するまでの間に、前記予告手段を作動させるといった第３の構成を採用することも考えられる。
そして、そのような第３の構成を採用することで、予告手段が作動したことにより、「転落抽選」の結果のみならず、所謂「大当たり抽選」の結果にまで遊技者に興趣をもたせることができ、パチンコ機の遊技性を極めて向上することができる。
【手続補正４】
【補正対象書類名】明細書
【補正対象項目名】０００９
【補正方法】変更
【補正の内容】
【０００９】
本発明によれば、特定遊技状態中において特別な条件が満たされた特別な保留情報が発生したことを遊技者に報知する予告手段と、特別な保留情報に係る転落判定用乱数からの取得数値が転落数値であるか否かを遊技者に報知する当否報知手段とを設けており、特別な保留情報が発生すると、特別な保留情報について図柄を変動開始するよりも前に、予告手段を作動させるとともに、特別な保留情報について図柄の変動を開始してから最初に一旦停止表示させる図柄を一旦停止表示させるまでの間に、当否報知手段を作動させるため、従来のパチンコ機のように所謂「転落抽選」の結果を表示するよりも前の時点で、電動入賞役物の動作態様から「転落抽選」の当否が遊技者に察知されてしまい、本来「転落抽選」の当否に関して遊技者の興趣をあおる筈の当否報知演出が興趣を欠いたものになってしまうという問題が生じない。
また、特別な保留情報について図柄を変動開始するよりも前に、特別な保留情報が発生したことを遊技者に報知する予告手段を作動させるため、特別な保留情報に係る「転落抽選」の結果がどちらであるのか遊技者の興趣を十分にあおることができ、パチンコ機の遊技性を向上することができる。